(57)【要約】【課題】内外のチューブが押圧されると、２種類のペーストが所定の比率で排出され、容易に塗布することができる２重チューブ構造を提供する。【解決手段】２重チューブ構造は、上蓋体１と、外管２と、外管２中に位置する内管３とを備える。外管２の首部２１は、内周壁面に形成された環状係合溝２３と、外周壁面に形成された雄ねじ部２２とを有し、内管排液孔２０１を有する塗布部２０が上端に延設され、内管排液孔２０１の下縁には、内接管２０３が延設される。内管排液孔２０１の周囲には、複数の外管排液孔２０２が形成される。首部２１の内側面には、内管３を組み合わせて位置決めする位置決め部２４が周設される。内管３の首部３２の前後には、環状係合溝２３と係合される円環リブ３３が両辺に対称的に設けられる。【選択図】図１
0003192004.tif 000002
【実用新案登録請求の範囲】
【請求項１】
上蓋体と、外管と、前記外管中に位置する内管と、を備える２重チューブ構造であって、
前記外管の首部は、内周壁面に形成された環状係合溝と、外周壁面に形成された雄ねじ部とを有し、内管排液孔を有する塗布部が上端に延設され、前記内管排液孔の下縁には、内接管が延設され、前記内管排液孔の周囲には、複数の外管排液孔が形成され、前記首部の内側面には、前記内管を組み合わせて位置決めする位置決め部が周設され、
前記内管の首部の前後には、前記環状係合溝と係合される円環リブが両辺に対称的に設けられ、前記首部には、根部前後に環状位置決め台が対称的に設けられ、左右両辺に凹設された凹部が液体排出チャネルとして用いられるとともに、排液管が上部に延設され、
前記内管の首部が前記外管の首部内に係合されると、前記排液管と前記内接管とが接合され、前記環状位置決め台と前記位置決め部とが密着されることを特徴とする、
２重チューブ構造。
【請求項２】
前記内管の首部は、前記円環リブと、前記外管の首部内面に形成された環状係合溝と、を介し、前記外管の首部内に係合されることを特徴とする請求項１に記載の２重チューブ構造。
【請求項３】
前記内管排液孔には、前記塗布部の中心部が位置合わせされ、前記外管排液孔は、多数の小孔を含むことを特徴とする請求項１に記載の２重チューブ構造。
【請求項４】
前記内管排液孔の面積と前記外管排液孔の面積との比率は、１回で絞り出す量に応じて変えることが可能なことを特徴とする請求項１に記載の２重チューブ構造。
【請求項５】
前記塗布部の端面は、多数の平面により囲まれて形成された多面体構造であることを特徴とする請求項１に記載の２重チューブ構造。
【請求項６】
前記外管排液孔の形状は、櫛歯状、階段状又は多孔状であり、前記内管排液孔の形状は、円形状又は多辺形状であることを特徴とする請求項３に記載の２重チューブ構造。
【考案の詳細な説明】
【技術分野】
【０００１】
本考案は、２重チューブ構造に関し、特に、内外の２重チューブが互いに結合された構造であり、２種類のペーストが内外のチューブ内に収容され、内外のチューブが押圧されると２種類のペーストが所定の比率で排出され、容易に塗布することができる２重チューブ構造に関する。
【背景技術】
【０００２】
現代女性はショッピングしたり通勤したりパーティーなどの集まりに参加したりする際、見た目を良くするために、場面に適した装いをするとともにその装いに適した化粧を施す。しかし、時間経過及び温度変化に伴い化粧が崩れることがあるため、大部分の女性は簡便な化粧用品であるチューブを携帯し、随時、化粧直しをして見た目を良好なものに保つことが一般的である。
【０００３】
一般のチューブ包装は、例えば化粧品、医療用軟膏、食品、歯磨き粉など様々な製品へ広く応用されるが、これには押圧式単管構造が多く採用されている。日焼止めクリーム、リップクリーム、髪染薬剤などの化粧品の一部は、使用する際多種類のペーストを所定の比率で配合しなければならないため、チューブ毎に包装しなければならず生産コストが増大し、使用又は携帯に不便であった。
【０００４】
そのため、上述したような問題点を改善するために２重チューブ構造が開発されている。この２重チューブ構造は、主に内チューブ、外チューブ、排出ノズル及び外蓋を含む。しかし従来の２重チューブ化粧容器は、気密性が理想的でない上、外蓋が密着されると、外チューブが押圧されて液体が外部に流れ出す上、液体が乾いて排出ノズルが詰まり、不便で浪費される状況が発生する。
また、２重チューブの内・外管の取り付けには、形状が複雑な接合ノズル、スリーブなどの部品が利用されているため、構造が複雑で製作コストが多くかかった。一部のチューブ頭部の接合ノズルは細長い形状であり、適宜支持しない場合、熱収縮により変形して位置がずれる虞があるとともに、位置決め設計が好ましくない場合、内・外チューブを組み合わせるときに内チューブの位置がずれる問題が発生し易く、後続の内容物の充填及び後部封止を行う際、嵌合不良が発生して不良品が発生する虞があった。
また、従来の２重チューブ化粧容器は、密閉性が理想的でなく、液体が空気と接触すると硬化したり変質したりする虞があった。このことから分かるように、従来の２重チューブ化粧容器には、改善が必要な問題点が多く存在した。
【考案の概要】
【考案が解決しようとする課題】
【０００５】
本考案の目的は、内外の２重チューブが互いに結合された構造であり、２種類のペーストが内外のチューブ内に収容され、内外のチューブが押圧されると、２種類のペーストが所定の比率で排出され、容易に塗布することができる２重チューブ構造を提供することにある。
【課題を解決するための手段】
【０００６】
上記課題を解決するために、本考案の第１の形態によれば、上蓋体と、外管と、前記外管中に位置する内管と、を備える２重チューブ構造であって、前記外管の首部は、内周壁面に形成された環状係合溝と、外周壁面に形成された雄ねじ部とを有し、内管排液孔を有する塗布部が上端に延設され、前記内管排液孔の下縁には、内接管が延設され、前記内管排液孔の周囲には、複数の外管排液孔が形成され、前記首部の内側面には、前記内管を組み合わせて位置決めする位置決め部が周設され、前記内管の首部の前後には、前記環状係合溝と係合される円環リブが両辺に対称的に設けられ、前記首部には、根部前後に環状位置決め台が対称的に設けられ、左右両辺に凹設された凹部が液体排出チャネルとして用いられるとともに、排液管が上部に延設され、前記内管の首部が前記外管の首部内に係合されると、前記排液管と前記内接管とが接合され、前記環状位置決め台と前記位置決め部とが密着されることを特徴とする２重チューブ構造が提供される。
【０００７】
前記内管の首部は、前記円環リブと、前記外管の首部内面に形成された環状係合溝と、を介し、前記外管の首部内に係合されることが好ましい。
【０００８】
前記内管排液孔には、前記塗布部の中心部が位置合わせされ、前記外管排液孔は、多数の小孔を含むことが好ましい。
【０００９】
前記内管排液孔の面積と前記外管排液孔の面積との比率は、１回で絞り出す量に応じて変えることが可能なことが好ましい。
【００１０】
前記塗布部の端面は、多数の平面により囲まれて形成された多面体構造であることが好ましい。
【００１１】
前記外管排液孔の形状は、櫛歯状、階段状又は多孔状であり、前記内管排液孔の形状は、円形状又は多辺形状であることが好ましい。
【考案の効果】
【００１２】
本考案の２重チューブ構造は、２種類のペーストが内外のチューブ内に収容され、内外のチューブが押圧されると、２種類のペーストが所定の比率で排出され、容易に塗布することができる。
【図面の簡単な説明】
【００１３】
【図１】本考案の一実施形態に係る２重チューブ構造を示す分解斜視図である。
【図２】本考案の一実施形態に係る２重チューブ構造の外管を示す斜視図である。
【図３】本考案の一実施形態に係る２重チューブ構造の内管を示す斜視図である。
【図４】本考案の一実施形態に係る２重チューブ構造を示す断面図である。
【図５】本考案の一実施形態に係る２重チューブ構造の内・外管を示す断面図である。
【図６】本考案の一実施形態に係る２重チューブ構造の外管塗布部を示す斜視図（１）である。
【図７】本考案の一実施形態に係る２重チューブ構造の外管塗布部を示す上面図である。
【図８】本考案の一実施形態に係る２重チューブ構造の外管塗布部を示す斜視図（２）である。
【図９】本考案の一実施形態に係る２重チューブ構造の外管塗布部を示す斜視図（３）である。
【考案を実施するための形態】
【００１４】
以下、本考案の実施形態について図に基づいて説明する。なお、これによって本考案が限定されるものではない。
【００１５】
図１〜図５を参照する。図１〜図５に示すように、本考案の一実施形態に係る２重チューブ構造は、上蓋体１と、外管２と、外管２中に位置する内管３と、を含む。
【００１６】
上蓋体１内には、雌ねじを有する接続筒１１が形成されている。接続筒１１内の頂部には、フレキシブルパッド１２が配設されている。
【００１７】
外管２の首部２１は、内周壁面に形成された環状係合溝２３と、外周壁に形成された雄ねじ部２２とを有し、内管排液孔２０１を有する塗布部２０が上端に延設されている。内管排液孔２０１の下縁には、内接管２０３が延設されている。内管排液孔２０１の周囲には、複数の外管排液孔２０２が形成され、首部２１の内側には、内管を組み合わせて位置決めする位置決め部２４が周設されている。
【００１８】
内管３の首部３２の前後には、外管２の環状係合溝２３と係合される２つの対称的な円環リブ３３が設けられている。首部３２の根部前後には、環状位置決め台３４が対称的に設けられ、左右両辺に凹設された凹部３５を液体排出チャネルとして用い、排液管３０が上部に延設されている。内管３は、外管２内に配設されている。
内管３の首部３２は、円環リブ３３と、外管２の首部２１内面に形成された環状係合溝２３と、を介し、外管の首部３２内に係合され、内管３の環状位置決め台３４と外管２の位置決め部２４とが接合されると、外管２の内接管２０３と内管３内の排液管３０とが密着される。内管及び外管の首部は、例えば、係合、挿接、位置決め台を利用した様々な方式により接続して位置決めし、内管の位置がずれる問題が生じることを防ぐ。
【００１９】
本実施形態では、外管２の塗布部２０の端面を多数の平面で囲んで多面体構造が形成されているが、その外形はユーザの様々なニーズに応じて適宜変更してもよい。
【００２０】
図６及び図７を参照する。図６及び図７に示すように、外管２の塗布部２０の端面は、外周に間隔をあけて形成された３つの大き目の斜面２０４と、互いに隣接した２つの大き目の斜面２０４間に形成された小さ目の斜面２０５と、中央部に位置する六辺形平面２０６とが滑らかに接続されている。六辺形平面２０６は、３つの大き目の斜面２０４と、３つの小さ目の斜面２０５とが滑らかに接続され、構成されている。
【００２１】
塗布部２０上には、３つの外管排液孔２０２及び１つの内管排液孔２０１が形成され、内管排液孔２０１は、六辺形平面２０６の中央部に位置する。３つの外管排液孔２０２は、六辺形平面２０６の１本の短辺と内管排液孔２０１との間にそれぞれ位置する。
【００２２】
図１、図８及び図９を参照する。図１、図８及び図９に示すように、外管排液孔２０２の形状は、櫛歯状、階段状、多孔状などでもよく、内管排液孔２０１の形状は、円形状、多辺形などでもよい。
【００２３】
上述したことから分かるように、本考案の２重チューブ構造は、２種類のペーストが内外のチューブ内に収容され、内外のチューブが押圧されると、２種類のペーストが所定の比率で排出され、容易に塗布することができる。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１      上蓋体
２      外管
３      内管
１１    接続筒
１２    フレキシブルパッド
２０    塗布部
２１    首部
２２    雄ねじ部
２３    環状係合溝
２４    位置決め部
３０    排液管
３２    首部
３３    円環リブ
３４    環状位置決め台
３５    凹部
２０１  内管排液孔
２０２  外管排液孔
２０３  内接管
２０４  大き目の斜面
２０５  小さ目の斜面
２０６  六辺形平面
【図１】
0003192004.tif 000003
【図２】
0003192004.tif 000004
【図３】
0003192004.tif 000005
【図４】
0003192004.tif 000006
【図５】
0003192004.tif 000007
【図６】
0003192004.tif 000008
【図７】
0003192004.tif 000009
【図８】
0003192004.tif 000010
【図９】
0003192004.tif 000011